(57)【要約】      （修正有）【課題】長押し操作を失敗していると判定した場合に音声報知をすることで、使用者が快適に使用できる加熱調理器を提供する。【解決手段】本体の上面に設け被加熱物を載置するプレートと、プレートの下方に被加熱物を加熱する加熱手段と、プレートに設け加熱手段の加熱条件を設定する静電容量式の上面操作部と、上面操作部で設定された内容に基づいて加熱手段を制御する制御手段と、制御手段の出力により報知する音声報知装置と、を備え、制御手段は、上面操作部の長押し操作に失敗した場合、音声報知装置を用いて長押し操作の方法を報知するものである。【選択図】図８
2018133270.tif 000002
【特許請求の範囲】
【請求項１】
本体の上面に設け被加熱物を載置するプレートと、
該プレートの下方に前記被加熱物を加熱する加熱手段と、
前記プレートに設け前記加熱手段の加熱条件を設定する静電容量式の上面操作部と、
該上面操作部で設定された内容に基づいて前記加熱手段を制御する制御手段と、
該制御手段の出力により報知する音声報知装置と、を備え、
前記制御手段は、
前記上面操作部の長押し操作に失敗した場合、
前記音声報知装置を用いて長押し操作の方法を報知することを特徴とする誘導加熱調理器。
【発明の詳細な説明】
【技術分野】
【０００１】
本発明は、加熱条件を設定する静電容量式の操作部を備えた加熱調理器に関するものである。
【背景技術】
【０００２】
従来の加熱調理器は、本体上面に配置されたプレートに被加熱物である鍋を載置し、該鍋をプレート下方の本体内に設けられた加熱コイルにより加熱するものであり、プレートの前面側上部には加熱コイルの火力や加熱時間を設定する操作部が配置されている。
【０００３】
該操作部は、使い勝手や清掃性を良くするために極力凸凹の少ない構造が好まれ、そのために操作部を構成する操作キーは凸凹のない、静電容量の変化から入力操作を検出する非接触式の静電容量式タッチスイッチが好まれるようになってきている（特許文献１）。
【先行技術文献】
【特許文献】
【０００４】
【特許文献１】特許４９１９９２５号
【発明の概要】
【発明が解決しようとする課題】
【０００５】
特許文献１に示す加熱調理器は、本体上面に配置されたプレートの前面側上部に加熱コイルの火力や加熱時間を設定する非接触式の静電容量式タッチスイッチが配置されており、凸凹のないスッキリとしたデザインを実現できる。
【０００６】
しかし、凸凹がない静電容量式タッチスイッチは、使用者は操作しているつもりであっても、静電容量の変化が足りない場合は操作を確定しない。特に、長押し操作時、必要な操作確定時間が足りず、長押し操作を失敗することがある。また、なぜ操作を失敗しているのかを使用者は分からないので、繰り返し長押し操作を失敗して、快適に加熱調理器を使用できない、という課題があった。
【課題を解決するための手段】
【０００７】
本発明は、上記の問題を解決するためになされたものであり、本体の上面に設け被加熱物を載置するプレートと、該プレートの下方に前記被加熱物を加熱する加熱手段と、前記プレートに設け前記加熱手段の加熱条件を設定する静電容量式の上面操作部と、該上面操作部で設定された内容に基づいて前記加熱手段を制御する制御手段と、該制御手段の出力により報知する音声報知装置と、を備え、前記制御手段は、前記上面操作部の長押し操作に失敗した場合、前記音声報知装置を用いて長押し操作の方法を報知するものである。
【発明の効果】
【０００８】
本発明によれば、静電容量式タッチスイッチの長押し操作を失敗した場合に、使用者は音声報知により長押し操作方法を知ることで長押し操作を失敗せずに行うことができ、誘導加熱調理器を快適に使用することができる。
【図面の簡単な説明】
【０００９】
【図１】本発明の誘導加熱調理器をシステムキッチンに収納した状態の斜視図である。
【図２】同誘導加熱調理器のプレートを外した状態を示す説明図である。
【図３】同誘導加熱調理器の側面から見た主要断面図である。
【図４】同誘導加熱調理器の上面操作部の説明図である。
【図５】同誘導加熱調理器の上面操作部の上面図及び側面図である。
【図６】同誘導加熱調理器の操作非確定時の説明図である。
【図７】同誘導加熱調理器の操作確定時の説明図である。
【図８】同誘導加熱調理器の長押し操作および音声報知のフローチャートである。
【発明を実施するための形態】
【００１０】
以下、本発明の実施例を上記図面に従って説明する。
【００１１】
尚、本実施例は、キッチンに嵌め込むビルトイン型の他にキッチンに載置する据置型の加熱調理器であっても差し支えない。
【００１２】
加熱調理器の本体２は、システムキッチン１の上面から落とし込んで設置することで組み込まれる。
【００１３】
調理を行う被加熱物の鍋（図示せず）は、本体２の上面に配置された耐熱ガラス等からなり光を透過するプレート３の載置部６に載置されることで調理可能となる。
【００１４】
載置部６は、本体２上面のプレート３の上面手前に載置部右６ａと載置部左６ｂが配置され、これら両載置部の６ａおよび６ｂの間の奥（中央後部）に載置部中央６ｃが配置されている。そして、プレート３を挟んで各載置部６の下に鍋を加熱するための後述する加熱コイルユニット２５がそれぞれ設置されている。配置は、載置部右６の下方には加熱コイルユニット右２５ａが、載置部左６ｂの下方には加熱コイルユニット左２５ｂが、載置部中央６ｃの下方には加熱コイルユニット中央２５ｃが設けられている。
【００１５】
プレート３の周囲端面には、プレート３を保護するためにフレーム１４が設けられている。該フレーム１４は、プレート３の手前の上端縁に取り付けられるフレーム前１４ａと、プレート３の後方上端縁に取り付けられるフレーム後１４ｂと、右側上端縁に取り付けられる１４ｃと、左側上端縁に取り付けられるフレーム左１４ｄとで構成されている。
【００１６】
本体２の内部には、発熱部材である後述する加熱コイルユニット２５や制御回路を構成する電子部品が設けられており、該加熱コイルユニット２５や前記制御回路の電子部品を冷却するための送風ファン２０と、本体２の外部から空気を吸込むための吸気口７及び冷却後の排気を排出する排気口８が設けられている。
【００１７】
前記吸気口７で吸入した空気は、本体２の内部で発熱する後述する加熱コイルユニット２５や電子部品を冷却した後に排気口８から本体２外に排出される。
【００１８】
また、本体２の左側には、魚やピザなどを焼くためのロースター４が設けられている。
【００１９】
次に被加熱物の鍋を加熱する加熱手段である加熱コイルについて説明する。
【００２０】
鍋（図示せず）を加熱するための加熱コイルユニット２５は、加熱コイル１３とコイルベース２４とフェライト（図示せず）から構成されている。そして、プレート３と加熱コイルユニット２５との間には一定の隙間が設けられ、この隙間に前記送風ファン２０からの冷却風の一部を流して、プレート３の裏面と加熱コイルユニット２５を冷却している。
【００２１】
加熱コイル１３の巻線は表皮効果を抑制するためリッツ線を採用している。この加熱コイル１３には調理鍋（図示せず）を加熱するために後述するインバータ基板（左右インバータ基板１８、中央インバータ基板１７）から数十ｋＨｚ、数百Ｖの電圧が印加される。
【００２２】
コイルベース２４は、加熱コイル１３を下から固定すると共に、フェライト（図示せず）が略放射状に埋設されている。
【００２３】
また、加熱コイル１３の略中央部の空間には、自動調理時など鍋の温度を検知する温度検知素子２１が取付けられている。
【００２４】
次に、加熱コイル１３とインバータ基板の冷却について説明する。
【００２５】
インバータ基板は、左右の加熱コイル１３ａ、１３ｂを駆動するインバータ回路を搭載した左右インバータ基板１８と、加熱コイル中央１３ｃを駆動する中央インバータ基板１７とで構成されている。
【００２６】
左右インバータ基板１８、中央インバータ基板１７は基板ケース２６内に配置され、電子部品で発熱した熱を効率よく送風ファン２０からの冷却風と熱交換して温度を下げるように放熱フィン２２、２３が設けられしている。
【００２７】
送風ファン２０により吸気口７から吸込まれた冷却用の外気は、基板ケース２６内を通流し、左右インバータ基板１８や中央インバータ基板１７、制御回路を搭載した制御基板１９の電子部品から熱を奪った後、基板ケース２６から吹き出て、各加熱コイル１３や本体２内のその他の部品やプレート３の裏面を冷却した後に排気口８から外部に排出する。
【００２８】
基板ケース２６は、ロースター４が設置されている加熱コイルユニット左２５ｂとは反対の加熱コイルユニット右２５ａの下方に設置されている。本実施例では加熱コイルユニット右２５ａの下側に設置され、中に左右インバータ基板１８、中央インバータ基板１７を配置することで調理時に加熱コイル１３やロースター４からのふく射熱を遮り、また、内部に冷却用空気が効率よく行き渡るように冷却用空気が通る風路が形成されている。
【００２９】
また、操作方法や加熱状態を使用者に伝えるための音声報知装置７７を備えている。
【００３０】
次に操作部と表示部について図２と図４と図５にて説明する。
【００３１】
上面操作部９は静電容量式タッチスイッチによって構成されている。具体的には、プレート３の下方には指を触れた時の静電容量の変化を検出する後述する電極３６（図５）を備えた操作基板１２（図５）から構成されている。
【００３２】
キー部とは、上面操作部９に設けられた切/スタートキー４８・５６・６１、とろ火キー４９ａ・５７ａ、弱火キー４９ｂ・５７ｂ、中火キー４９ｃ・５７ｃ、強火キー４９ｄ・５７ｄ、メニューキー５２・６０・６４などを示す。
【００３３】
上面操作部９はプレート３の前面側に設けられ、載置部右６ａ、載置部中央６ｃ、載置部左６ｂに対応して右から、上面操作部右９ａ、上面操作部中央９ｃ、上面操作部左９ｂが配置されている。そして各上面操作部９の上側には上面表示部右１０ａ、上面表示部中央１０ｃ、上面表示部左１０ｂからなる上面表示部１０が設けられている。
【００３４】
上面表示部１０は、表示ホルダ３２によってプレート３に押さえられ、中央部には、表示部に文字等を表示する駆動回路を含んだ表示基板３３を固定している。
【００３５】
次に、鍋への加熱条件を設定する上面操作部９（代表して上面操作部右９ａ）の各キー部について説明する。
【００３６】
４８は調理の開始や停止するための切/スタートキーで、調理中は切/スタートキー４８のキー部の表示された「切/スタート」が点灯する。キー部の点灯についての詳細は後述する。
【００３７】
調理の火力は火力キー４９によって選択する。該火力キー４９は、「とろ火」、「弱火」、「中火」、「強火」の四段階のキーに分かれ、必要な火力を一回の操作で設定できるようになっている。四段階の火力キー４９のうち、とろ火キー４９ａは「１」、弱火キー４９ｂは「４」、中火キー４９ｃは「７」、強火キー４９ｄは「１０」の火力に設定でき、設定したキー部の表示が点灯する。
【００３８】
５１は主に煮込みや保温などタイマー調理を実施するときに選択するタイマーキーである。５２は自動調理の炊飯、揚げもの、湯沸し等を選択するための「メニュー」キーで、該メニューキー５２を押す（指で接触する）ことで上面表示部１０にメニューが表示され、メニューキー５２を押すたびに表示されているメニューが切り替わり、これによって使用するメニューを選択する。
【００３９】
また、火力の調節やタイマー調理時の時間の設定、炊飯時における米の量の設定、自動調理の仕上がり調整の設定、揚げものをする時の油温の設定を設定キー５０により行うことができる。この設定キー５０は、設定時の数量などを増やすＵＰキー５０ａと減らすＤＯＷＮキー５０ｂからなっている。
【００４０】
なお、上面操作部左９ｂは上面操作部右９ａと同じ操作、配列であるので説明を省略する。
【００４１】
次に上面操作部中央９ｃについて説明する。載置部中央６ｃの主な調理は保温や煮込みである。従って、加熱コイル中央１３ｃの火力も他の加熱コイルの火力よりも小さく設計されている。このため火力表記は、とろ火、弱火、中火の三段階で足り、設定キー６２をサイクリック式としても、最大３回押せば元に戻るので、手前２つの加熱コイル２５ａ、２５ｂのように火力毎に対応した火力設定キーを設けていない。
【００４２】
前記した上面操作部９の各入力キーとなる静電容量の変化を検出するための電極３６は、プレート３の下面に配置された操作基板１２に設けられている。
【００４３】
操作基板１２は、操作基板１２ａと操作基板１２ｂとに別れ、操作基板１２ａは上面操作部右９ａと上面操作部中央９ｃに、操作基板１２ｂは上面操作部左９ｂに対応している。
【００４４】
そして、操作基板１２の上面には、上面操作部９の各キー部を指で触れたことによる静電容量の変化を検出する電極３６を設け、電極３６で検出した静電容量の変化を制御回路（図示せず）で判定できるデジタル信号に変換する検出回路用の集積回路３７（図２）を電極３６とは離して設けている。
【００４５】
３４は基板間を接続するケーブルである（図２）。
【００４６】
制御基板１９に組み込まれた制御手段は、上面操作部９で設定された内容及び事前に組み込まれた自動調理などのプログラムに基づき、調理の開始、停止、火力の設定情報を制御信号として左右インバータ基板１８や中央インバータ基板１７に送り、加熱コイル１３、同時に送風ファン２０の制御も行い、調理中は送風ファン２０を動作させる。
【００４７】
また、後述する音声報知装置７７を制御する。
【００４８】
本実施例は以上の構成よりなるもので、次にその動作について説明する。
【００４９】
製品本体の主電源（図示せず）をオンすると、上面操作部９が操作可能になる。
【００５０】
主電源オン後、操作可能であるキーは、火力キー４９ａ〜４９ｄ、５７ａ〜５７ｄ、切／スタートキー４８、５６、６１、メニューキー５２、６０，６４などである。
【００５１】
使用者は、希望の操作ができるキーをタッチすることで、製品の使用を始めることができる。
【００５２】
任意のキーについて長押し操作を設定し、容易に操作確定しないようにすることができる。
【００５３】
例としては、切／スタートキー４８について、１秒長押し操作として、安全確保をする場合がある。
【００５４】
また、一つのキーに通常操作と長押し操作を両方設定することで、２つ以上の役割を持たせることもできる。
【００５５】
例としては、タイマーキー５１について、３秒長押し操作でチャイルドロックの機能を持たせる場合がある。
【００５６】
次に、図６、図７、図８を用いて、本発明の長押し操作時の音声報知について説明する。
【００５７】
図８は、本発明の長押し操作および音声報知のフローチャートである。
【００５８】
図８のｎは操作確定回数（時間でも良い）、ｍは長押し操作失敗判定回数（時間でも良い）を格納する変数であり、マイコン（図示せず）でカウントする。
【００５９】
図８のＸは静電容量判定閾値、Ｖは長押し操作確定判定閾値、Ｗは長押し操作失敗判定閾値、Ｙは音声報知判定閾値である。
【００６０】
はじめに、通常の長押し操作確定の場合について説明する。
【００６１】
具体的には、切／スタートキー４８を長押し操作１秒で操作確定するキーとして、図７の操作確定の状態が１秒以上継続して操作確定、という場合である。
【００６２】
静電容量の変化８１（以下、ΔＣとする）を測定し、ΔＣ≧Ｘであるとき、操作確定と判定し、操作確定回数ｎに１を加算する。
【００６３】
操作確定回数ｎ≧長押し操作確定判定閾値Ｖの場合、長押し操作確定とする。
【００６４】
次に、長押し操作失敗判定の場合について説明する。
【００６５】
具体的には、切／スタートキー４８を長押し操作１秒で操作確定するキーとして、長押し０.８秒で操作失敗後、さらに、長押し０．９秒で操作失敗、と、長押し操作失敗を繰り返す場合である。
【００６６】
静電容量の変化８１を測定し、ΔＣ≧Ｘであるとき、操作確定と判定し、操作確定回数ｎに１を加算する。
【００６７】
その後、ΔＣ＜Ｘとなると、操作非確定と判定する。
【００６８】
このとき、操作確定回数ｎ≧長押し操作失敗判定閾値Ｗであれば、長押しに失敗したと判定し、長押し操作失敗判定回数ｍに１を加算する。
【００６９】
さらに、長押し操作失敗判定回数ｍ≧音声報知判定閾値Ｙとなったら、音声報知装置７７が音声報知をする。
【００７０】
音声報知の例としては、「長押しが３秒必要なキーです。ピッと鳴るまで確実に操作してください。」等である。
【００７１】
図８で、製品を長時間使っていれば、いつかはｍ≧Ｙとなる可能性がある。
【００７２】
その回避方法としては、例えば、切／スタートキー４８を操作確定した後、それ以外のキーを操作確定したら、ｍ＝０として長押し操作判定をリセットすることで、切／スタートキー４８だけを連続で長押し操作を失敗しているときにだけ音声報知をすることができる。
【００７３】
図８の、長押し操作失敗判定閾値Ｗについては、例えば、１秒長押しが必要なキーについて、０．８秒以上の操作の場合は、長押しを失敗していると判定するが、０.８秒未満の操作の場合は、通常操作をしていると判定したい場合に用いることができる。
【００７４】
上記の説明は、長押し操作失敗を判定するための一例であり、本発明の実現方法を限定するものではない。
【００７５】
以上説明したように、静電容量式タッチスイッチの長押し操作を失敗した場合に、長押し操作に関する情報を音声報知することで、使用者は長押し操作を失敗せずに行うことができ、静電容量式スイッチを快適に使用することができる。
【符号の説明】
【００７６】
２    本体
３    プレート
９    上面操作部
１２  操作基板
１３  加熱コイル
３６  電極
７７  音声報知装置
７９  指
８１  静電容量の変化
【図１】
2018133270.tif 000003
【図２】
2018133270.tif 000004
【図３】
2018133270.tif 000005
【図４】
2018133270.tif 000006
【図５】
2018133270.tif 000007
【図６】
2018133270.tif 000008
【図７】
2018133270.tif 000009
【図８】
2018133270.tif 000010